(57)【要約】【課題】縦に複数積み重ねることができ、設計の自由度が高い椅子を提供する。【解決手段】座部３０および脚部４０を有する椅子本体１０を備える椅子１であって、椅子本体１０を縦に積み上げる際に、下の椅子本体１０の座部３０に当接する当接部５０を脚部４０または座部３０に備え、この当接部５０を下の椅子本体１０の座部３０に当接させることで、座部３０の前縁３８側が後縁３９側よりも高くなるように積み上げられる。【選択図】図７
2017093497.tif 000002
【特許請求の範囲】
【請求項１】
座部および脚部を有する椅子本体を備える椅子であって、
椅子本体を縦に積み上げる際に、下の椅子本体の座部に当接する当接部を脚部または座部に備え、この当接部を下の椅子本体の座部に当接させることで、座部の前縁側が後縁側よりも高くなるように積み上げられることを特徴とする椅子。
【請求項２】
前記脚部が前脚および後脚を備え、前記当接部が前後脚の間に傾斜面を有して架け渡されることを特徴とする請求項１に記載の椅子。
【請求項３】
前記脚部が前脚および後脚を備え、前記当接部が前後脚の間に段差を設けて取り付けられることを特徴とする請求項１に記載の椅子。
【請求項４】
座部および脚部を有する複数の椅子本体を備え、保管時には、複数の椅子本体が縦に積み上げられる椅子セットであって、
上の椅子本体が、この椅子本体を縦に積み上げる際に、下の椅子本体の座部に当接する当接部を脚部または座部に備え、この当接部を下の椅子本体の座部に当接させることで、座部の前縁側が後縁側よりも高くなるように積み上げられることを特徴とする椅子セット。
【請求項５】
前記脚部が前脚および後脚を備え、前記当接部が前後脚の間に傾斜面を有して架け渡されることを特徴とする請求項４に記載の椅子セット。
【請求項６】
前記脚部が前脚および後脚を備え、前記当接部が前後脚の間に段差を設けて取り付けられることを特徴とする請求項４に記載の椅子セット。
【発明の詳細な説明】
【技術分野】
【０００１】
本発明は、椅子、及び椅子セットに係るものであり、特に、複数の椅子を縦に積み上げることができる椅子、及び椅子セットに関する。
【背景技術】
【０００２】
一般に、保育園や幼稚園などでは、室内の床面積を広く確保するために、椅子などの備品を収容する収納スペースを設けていないことが多い。そのため、椅子を片付ける必要があるときには、保育室の片隅に複数の椅子を縦に積み上げて（スタッキングして）置くのが一般的である。
このような椅子を縦に積み上げるものとして、従来、例えば、左右一対の支持体を、前脚杆、上部杆、及び後脚杆で構成すると共に、前脚杆と後脚杆とを下方に向かって開脚させて、限られたスペースに効率良く複数の椅子を積み上げることができるようにした技術が開示されている（例えば、特許文献１参照）。
【先行技術文献】
【特許文献】
【０００３】
【特許文献１】特開２０１１−１３６１０１号公報
【発明の概要】
【発明が解決しようとする課題】
【０００４】
ところで、保育園や幼稚園などで用いられる椅子は、園児が容易に持ち運びできるように軽量にする必要があり、且つ、大人が座っても十分に耐えられる強度が必要である。しかしながら、特許文献１記載のように、前脚杆と後脚杆とを下方に向かって開脚させることで複数の椅子を積み上げることができるようにした椅子では、軽量化と、高強度化を共に実現するために、支持体の材料や構造の自由度が低くなるという問題があった。
本発明は、上述した事情に鑑みてなされたものであり、縦に複数積み重ねることができ、設計の自由度が高い椅子、及び椅子セットを提供することを目的とする。
【課題を解決するための手段】
【０００５】
前記目的を達成するために、本発明は、座部および脚部を有する椅子本体を備える椅子であって、椅子本体を縦に積み上げる際に、下の椅子本体の座部に当接する当接部を脚部または座部に備え、この当接部を下の椅子本体の座部に当接させることで、座部の前縁側が後縁側よりも高くなるように積み上げられることを特徴とする。
【０００６】
また、前記椅子において、前記脚部が前脚および後脚を備え、前記当接部が前後脚の間に傾斜面を有して架け渡されることを特徴とする。
【０００７】
また、前記椅子において、前記脚部が前脚および後脚を備え、前記当接部が前後脚の間に段差を設けて取り付けられることを特徴とする。
【０００８】
また、前記目的を達成するために、本発明は、座部および脚部を有する複数の椅子本体を備え、保管時には、複数の椅子本体が縦に積み上げられる椅子セットであって、上の椅子本体が、この椅子本体を縦に積み上げる際に、下の椅子本体の座部に当接する当接部を脚部または座部に備え、この当接部を下の椅子本体の座部に当接させることで、座部の前縁側が後縁側よりも高くなるように積み上げられることを特徴とする。
【０００９】
また、前記椅子セットにおいて、前記脚部が前脚および後脚を備え、前記当接部が前後脚の間に傾斜面を有して架け渡されることを特徴とする。
【００１０】
また、前記椅子セットにおいて、前記脚部が前脚および後脚を備え、前記当接部が前後脚の間に段差を設けて取り付けられることを特徴とする。
【発明の効果】
【００１１】
本発明によれば、座部および脚部を有する椅子本体を備える椅子であって、椅子本体を縦に積み上げる際に、下の椅子本体の座部に当接する当接部を脚部または座部に備え、この当接部を下の椅子本体の座部に当接させることで、座部の前縁側が後縁側よりも高くなるように積み上げられるので、前脚と後脚とを下方に向かって開脚させることなく安定して椅子本体を縦に積み上げることができる。また、下の椅子本体の座部に当接する当接部を脚部または座部に備えるという簡単な構成で、安定して椅子本体を縦に積み上げることができるようにすることができ、支持体の材料や構造の自由度を向上することができる。
【図面の簡単な説明】
【００１２】
【図１】本発明に係る椅子の実施形態を示す斜視図である。
【図２】椅子の側面図である。
【図３】椅子の正面図である。
【図４】前後補強板を示す図であり、（Ａ）は前補強板を内側から見た図、（Ｂ）は前補強板の側面図、（Ｃ）は後補強板を内側から見た図、（Ｄ）は後補強板の側面図である。
【図５】当接部としての前後架橋板を示す図であり、（Ａ）は内側から見た側面図、（Ｂ）は外側から見た側面図である。
【図６】左右の前後架橋板を連結する脚補強柱を示す図であり、（Ａ）は後方の脚補強柱を椅子前方から見た図、（Ｂ）は前方の脚補強柱を椅子後方から見た図である。
【図７】椅子を複数積み重ねた椅子セットを示す図である。
【図８】本発明に係る椅子の変形例を示す側面図であり、（Ａ）当接部を前後脚にそれぞれ設けた椅子の側面図、（Ｂ）は当接部を座面から延ばした椅子の側面図である。
【図９】本発明に係る椅子の変形例を示す側面図である。
【発明を実施するための形態】
【００１３】
以下、本発明の実施形態について図面を参照して説明する。
図１は、本発明に係る椅子１の実施形態を示す斜視図である。図２は椅子１の側面図、図３は椅子１の正面図である。
図１から図３に示すように、椅子１は、背もたれ部２０、座部３０、脚部４０を有する椅子本体１０を備える。なお、本実施形態では、背もたれ部２０に背中を対向させて椅子１に利用者が座った際の利用者の膝側を椅子１の前側、利用者の腰側を椅子１の後側とし、この前後方向に対して横方向に略直行する方向を椅子１の左右方向、縦方向に略直行する方向を椅子１の上下方向として、以下の説明を行う。
【００１４】
座部３０は、座面３１に利用者が座るため部位であり、板状に形成される。座部３０には、利用者の座り心地を向上するための適宜のデザインが施されていても良く、例えば、座部３０は適宜に湾曲されていたり、座面３１にくぼみを有したりするように形成されていても良い。
脚部４０は、一対の前脚４１と、一対の後脚４５とを備える。前脚４１及び後脚４５は、いわゆるほぞ接ぎ、または、だぼ接ぎなどの手段により、座部３０に一体に接合されている。前脚４１は、座部３０の前方両側の下面３２に、上端４２が接合される。後脚４５は、座部３０の後方両側の側面３３に、一対の後脚４５が互いに対向する面である内側面４６が接合される。
【００１５】
座部３０の前側には、前補強板３５が、一対の前脚４１間に架け渡されると共に、座部３０の下面３２に接合されている。また、座部３０の後側には、後補強板３６が、一対の後脚４５間に架け渡されると共に、座部３０の下面３２に接合されている。図４に示すように、前補強板３５、及び、後補強板３６は、左右両端の側面に所謂ほぞ３が形成され、このほぞ３を、各前脚４１、又は各後脚４５に形成された不図示のほぞ穴に嵌め込んでほぞ接ぎにより各前脚４１、又は各後脚４５に一体に連結されている。また、前補強板３５、及び、後補強板３６の上面には、不図示のだぼ穴が形成され、当該だぼ穴にだぼ２を嵌め込んで、このだぼ２を座部３０の下面３２に形成された不図示のだぼ穴に嵌め込んで、だぼ接ぎにより座部３０に一体に連結される。つまり、前補強板３５は、各前脚４１間を連結するとともに、座部３０に一体に連結される。また、後補強板３６は、各後脚４５間を連結するとともに、座部３０に一体に連結される。このように、前補強板３５、及び、後補強板３６は、ほぞ接ぎ、または、だぼ接ぎなどの手段により、脚部４０と座部３０とを一体に連結して、椅子本体１０の剛性を向上させている。
【００１６】
図１から図３に示すように、椅子本体１０の前後に配置された前脚４１と後脚４５との間には、それぞれ、前後架橋板４８が架け渡されている。前後架橋板４８は、前脚４１の、後脚４５と対向する面にだぼ接ぎにより一体に連結されるとともに、後脚４５の、他方の後脚４５と対向する面にだぼ接ぎ、又はほぞ接ぎにより一体に連結される。このように前後架橋板４８により、前脚４１と後脚４５とを連結することで、脚部４０の剛性を向上させることができる。
【００１７】
図５に示すように、前後架橋板４８の、前脚４１と当接する前端面４８Ａは、前脚４１の形状に合わせた適宜の形状に形成され、前端面４８Ａの全体が前脚４１に面接触するように構成されている。また、前端面４８Ａには、図示は省略するが、だぼが嵌め込まれるだぼ穴が、少なくとも１つ、好ましくは上下に２つ以上形成されている。前後架橋板４８の後端部４８Ｂには、外側面にほぞ、又はだぼ穴が形成されている。
【００１８】
図２に示すように、前後架橋板４８は、座部３０の下面３２から所定距離だけ離れた位置に設けられる。前後架橋板４８は、前後脚４１，４５を連結することで脚部４０の強度を向上させると共に、後に詳述するように、椅子１を複数積み上げた際に、下の椅子本体１０の座部３０に当接する当接部５０として機能する。座部３０の下面３２から、前後架橋板４８までの距離は、椅子本体１０の寸法や、椅子１を縦に積み重ねる際の積み重ねる個数、所定個数積み重ねた際の高さ等の条件に応じて適宜に設定される。
また、前後架橋板４８は、座部３０の座面３１から前側下端Ｘまでの前側距離αが、座部３０の座面３１から後側下端Ｙまでの後側距離βよりも大きくなるように設けられている。つまり、前後架橋板４８は、前後脚４１，４５の間に前側下端Ｘから後側下端Ｙに向かって上向きに傾斜する傾斜面Ｓを有して架け渡されている。
【００１９】
一対の前後架橋板４８の間には、図１及び図３に示すように、前方の脚補強柱４９Ａと、後方の脚補強柱４９Ｂとが架け渡されている。脚補強柱４９Ａ，４９Ｂは、前後架橋板４８にほぞ接ぎにより一体に連結されている。脚補強柱４９Ａ，４９Ｂは、断面略円形状の棒状に形成され、図６に示すように、中央よりも両端側の直径が小さくなるように形成されている。そして、脚補強柱４９Ａ，４９Ｂは、両端４が前後架橋板４８の内側面に設けられたほぞ穴４８Ｃ（図５参照）に嵌め込まれて、前後架橋板４８に一体に連結されるように構成され、脚部４０の剛性を向上させる機能を有する。
【００２０】
後方の脚補強柱４９Ｂと、前補強板３５との間には、図１から図３に示すように、斜柱４４が架け渡されている。斜柱４４は、中央よりも両端側の直径が小さくなる断面略円形状の棒状に形成され、両端が、後方の脚補強柱４９Ｂに設けられたほぞ穴５（図６参照）と、前補強板３５に設けられたほぞ穴３７（図４参照）とにそれぞれ嵌め込まれて、ほぞ接ぎにより脚補強柱４９Ｂ、及び前補強板３５に一体に連結されている。斜柱４４は、本実施形態のように、棒状の部材であっても良いし、例えば板状の部材であっても良い。また、本実施形態では、斜柱４４は、椅子本体１０の左右方向に２本並べて配置されている構成としたが、斜柱４４の本数は１本でも、２本以上の複数本でも良い。また、本実施形態では、斜柱４４は、後方の脚補強柱４９Ｂと、前補強板３５との間に架け渡される構成としたが、これに限らず、例えば、前脚４１と後脚４５との間に斜めに架け渡されている等、椅子本体１０の剛性を向上する所謂筋交いとして機能するように設置されていれば良い。
【００２１】
上述のように。斜柱４４は脚部４０の構造体の中で、所謂筋交いとして機能し、脚部４０に係る荷重によって、椅子本体１０にねじれが生じないようにすることで、椅子１全体の強度を向上させている。なお、椅子１は、前後補強板３５，３６、前後架橋板４８、脚補強柱４９Ａ，４９Ｂ、及び、斜柱４４により、例えば体重１００キロの大人が椅子１に座り、後脚４５の２本の脚に体重をかけて椅子１を後方に斜めに倒した状態で座っても、十分に耐え得る強度が得られるように構成されている。
【００２２】
また、椅子１は、前後補強板３５,３６、前後架橋板４８、脚補強柱４９Ａ，４９Ｂ、及び、斜柱４４等の補強部材によって椅子本体１０の強度を向上することができるため、各部材を比較的細く形成して軽量化を図っても、高い強度を得ることができる。また、椅子１は、前後補強板３５,３６、前後架橋板４８、脚補強柱４９Ａ，４９Ｂ、及び、斜柱４４等の構造体によって高い強度を実現することができるため、比較的比重の低い木材や、ゴム集成材等の廃材を使っても、高強度化、及び、軽量化を同時に実現することができる。
【００２３】
図１及び図２に示すように、後脚４５は、座部３０の上下に延び、座部３０の上方に延在する上部は、背もたれ支持部２１として構成され、座部３０の下方に延在する下部は、後脚部４７として構成されている。後脚４５は、座部３０の取り付け位置から上下方に向けてわずかに後方に反った形状を有している。各後脚４５の背もたれ支持部２１には、各背もたれ支持部２１を連結する背もたれ板２２がだぼ接ぎなどの手段により一体に接合されている。なお上述した背もたれ部２０は、背もたれ支持部２１と背もたれ板２２とにより構成されている。
【００２４】
背もたれ板２２は、所定の厚みを有する板状の部材であり、利用者が椅子１に座って背もたれ板２２に背を持たれるのに適する適宜の位置に配置されている。また、背もたれ板２２は、利用者の背中の形状に沿うように、左右方向に湾曲している構成であっても良い。背もたれ板２２は、後面２３が後脚４５の背もたれ支持部２１に連結され、図３に示すように、後脚４５よりも左右方向に突出するように形成されている。背もたれ板２２は、本実施形態では略楕円形状に形成しているが、任意のいかなる形状とされていても良く、また前後に貫通する孔を有している構成であっても良い。また、背もたれ板２２は、椅子１を持ち上げる際の取っ手としても機能する構成であっても良い。なお、背もたれ板２２の板厚は、後述するように、椅子１を複数縦に積み上げた際に、上の椅子１の後脚４５と干渉しない適宜の板厚に形成されている。このように、背もたれ板２２は、後面２３が後脚４５の背もたれ支持部２１に連結され、椅子１を複数縦に積み上げた際に、上の椅子１の後脚４５と干渉しない構成であるため、背もたれ板２２の設計の自由度を高めることができ、任意の形状や大きさとすることができる。
【００２５】
椅子本体１０は、前脚４１を座部３０の下面３２に連結するとともに、後脚４５を座部３０の左右の両側面に連結して構成され、図３に示すように、後脚４５が、前脚４１よりも椅子本体１０の左右方向外側に配置される。
図７は、椅子１を縦方向に複数積み上げてなる椅子セット１００を示す図である。図７に示すように、椅子１は、保管時には、縦に複数積み上げることができる、複数の椅子１からなる椅子セット１００とすることができる。本実施形態の椅子セット１００は、例えば、椅子１を縦方向に１０個まで安全に積み上げることができるように構成されている。椅子１を縦に積み上げる際には、下の椅子本体１０の座部３０を、一対の後脚４５で跨ぐようにして椅子１を重ねる。そして、下の椅子本体１０の座部３０の座面３１に、前後架橋板４８の下面を当接させて、下の椅子本体１０の上に椅子本体１０を載置する。
【００２６】
上述したように、前後架橋板４８は前後脚４１，４５の間に前側から後側に向かって上向きに傾斜する傾斜面Ｓを有して架け渡されている。このため、前後架橋板４８を、下の椅子本体１０の座部３０に当接させる当接部５０として機能させた際には、傾斜面Ｓが座部３０に当接し、座部３０の前縁３８側が後縁３９側よりも高くなるように、下の椅子本体１０の上に椅子本体１０が載置される。そして、本願実施形態では、座部３０の前縁３８側が後縁３９側よりも高くなるように、下の椅子本体１０の上に椅子本体１０が積み上げられていくため、椅子セット１００においては、図７に示したように、前後架橋板４８の傾斜面Ｓの角度に応じた所定の半径を有する円弧を描いて、後方に反っていく形態で複数の椅子１が積み上げられる。
また、椅子本体１０を縦に積み上げる際には、下の椅子本体１０の前方に、前脚４１が配置され、且つ、前脚４１の前後架橋板４８が連結された部分より下の部分が、下の椅子本体１０の座部３０から下方に垂下するように配置される。
【００２７】
一般的に、下の椅子本体の座部の前方に一対の前脚が配置され、下の椅子本体の座部を一対の後脚で跨ぐようにして椅子を重ねた場合には、上方の椅子が下方の椅子よりも前方に位置することとなる。そのため、複数の椅子を縦に積み上げた椅子セットでは、重心が前方向に移動し、前方向に崩れやすくなり、不安定な状態となる。一方、本実施形態では、複数の椅子１を、所定の半径を有する円弧を描いて後方に反っていく形態で積み上げることができるため、重心位置を積み上げ方向に対して安定させることができ、安定した状態で複数の椅子１を積み上げることが可能となる。なお、座部３０から、前後架橋板４８までの距離が近過ぎると、椅子本体１０を縦に複数積み上げた椅子セット１００の重心位置が前方に偏り、不安定な状態となりやすい。一方で、座部３０から、前後架橋板４８までの距離が遠過ぎると、椅子本体１０を縦に複数積み上げた椅子セット１００の重心位置は積み上げ方向に対して安定させることができるが、積み上げ高さが高くなり過ぎて不安定な状態となりやすい。上述したように、本実施形態では、座部３０から、前後架橋板４８までの距離は、椅子本体１０を安定した状態で１０個縦に積み上げることができる適宜の距離に設定されている。
【００２８】
また、後脚４５は、座部３０の取り付け位置から上方に向けてわずかに後方に反った形状を有している。さらに、背もたれ板２２は、椅子１を縦に積み上げた際に、上の椅子１の後脚４５と干渉しない適宜の板厚に形成されている。背もたれ部２０を、下の椅子本体１０の背もたれ部２０に干渉させることで、下の椅子本体１０の上に椅子本体１０を積み上げる構成とすることもできる。しかしながらこの構成では、背もたれ部２０の構成に制限が生じ、背もたれ部２０の設計の自由度が低減してしまうという問題があった。本実施形態では、下の椅子本体１０の座部３０に、当接部５０たる前後架橋板４８を当接させて、椅子本体１０を積み上げる構成としているため、背もたれ部２０が下の椅子本体１０の背もたれ部２０と干渉しないように、椅子１を積み上げることができ、背もたれ部２０の設計の自由度を向上することができる。
【００２９】
なお、当接部５０は、前後脚の間に傾斜面を有して架け渡され前後架橋板４８の形態に限定されるものではない。図８、図９は、当接部５０の変形例を示した図であり、当接部５０として、図８（Ａ）に示した椅子１Ｂの例のように、前脚４１から突設された一方の突設部６１と、後脚４５から突設された他方の突設部６２と、を前後脚４１，４５の間に設けて、突設部６１，６２の座部３０からの高さＸ１，Ｙ１に段差Ｌを設けても良い。
また、当接部５０として、図８（Ｂ）に示した椅子１Ｃの例のように、前後脚４１，４５の間に、座部３０から下方に向かって、一方の突設部６３と、他方の突設部６４と、を突設させて、突設部６３，６４の下端の、座部３０からの高さＸ２，Ｙ２に段差Ｌを設けても良い。
また、当接部５０として、図９に示した椅子１Ｄの例のように、前後脚４１，４５の間に座部３０と略平行に架け渡された前後架橋板４８から下方に向かって、一方の突設部６５と、他方の突設部６６と、を突設させて、突設部６５，６６の下端の、座部３０からの高さＸ３，Ｙ３に段差Ｌを設けても良い。
【００３０】
以上説明したように、本発明を適用した実施形態によれば、座部３０および脚部４０を有する椅子本体１０を備える椅子１であって、椅子本体１０を縦に積み上げる際に、下の椅子本体１０の座部３０に当接する当接部５０を脚部４０または座部３０に備え、この当接部５０を下の椅子本体１０の座部３０に当接させることで、座部３０の前縁３８側が後縁３９側よりも高くなるように積み上げられる。この構成によれば、椅子本体１０を縦に積み上げる際に、下の椅子本体１０よりも、上の椅子本体１０が前方向に迫り出すように重ねられることがなく、重心位置を積み上げ方向に対して安定させて、椅子本体１０を複数縦に積み上げることができる。これにより、下の椅子本体１０の座部３０に当接する当接部５０を設けるという簡単な構成で、椅子本体１０を安定して縦に積み上げることができるため、支持体の材料や構造の自由度を向上することができ、設計の自由度が向上する。さらに、背もたれ部２０を下の椅子本体１０の背もたれ部２０に干渉させることなく椅子本体１０を積み上げることができるため、背もたれ部２０の設計の自由度を向上することができる。
【００３１】
また、本発明を適用した実施形態によれば、脚部４０が前脚４１および後脚４５を備え、当接部５０が前後脚４１，４５の間に傾斜面Ｓを有して架け渡される。この構成によれば、当接部５０により、前後脚４１，４５間の剛性を向上することができると共に、当接部５０の傾斜面Ｓを下の椅子本体１０の座部３０に当接させることで、簡単な構成で座部３０の前縁３８側が後縁３９側よりも高くなり、かつ、背もたれ部２０が下の椅子本体１０の背もたれ部２０と干渉しないように、椅子本体１０を縦に積み上げることができる。
【００３２】
また、本発明を適用した実施形態によれば、脚部４０が前脚４１および後脚４５を備え、当接部５０が前後脚４１，４５の間に段差Ｌを設けて取り付けられる。この構成によれば、当接部５０の段差Ｌにより、簡単な構成で座部３０の前縁３８側が後縁３９側よりも高くなるように、椅子本体１０を縦に積み上げることができる。
【００３３】
また、本発明を適用した実施形態によれば、座部３０および脚部４０を有する複数の椅子本体１０を備え、保管時には、複数の椅子本体１０が縦に積み上げられる椅子セット１００であって、上の椅子本体１０が、この椅子本体１０を縦に積み上げる際に、下の椅子本体１０の座部３０に当接する当接部５０を脚部４０または座部３０に備え、この当接部５０を下の椅子本体１０の座部３０に当接させることで、座部３０の前縁３８側が後縁３９側よりも高くるように積み上げられる。この構成によれば、椅子本体１０を縦に積み上げて保管する際に、下の椅子本体１０よりも、上の椅子本体１０が前方向に迫り出すように重ねられることがなく、重心位置を積み上げ方向に対して安定させて、椅子本体１０を複数縦に積み上げることができる。
【００３４】
なお、上述した実施形態は本発明の一態様であり、本発明の趣旨を逸脱しない範囲において適宜変更可能であるのは勿論である。例えば、本実施形態では、椅子１の前後に斜めに所謂筋交いとして機能する斜柱４４を設けて、椅子本体１０の剛性を向上する構成としているが、これに限らず、前後架橋板４８を太くして、椅子本体１０の剛性を向上し、斜め柱４４を省略した構成としても良い。
また、本発明は、当接部を下の椅子本体の座部に当接させることで、座部の前縁側が後縁側よりも高くなるように複数の椅子を縦に積み上げる（スタッキング）ことができる椅子に関するものであり、当該椅子が背もたれ部を有しない、椅子であっても良いことは言うまでもない。背もたれ部を有しない椅子においては、後脚４５は、座部３０まで延びていればよい。
また、本発明は、保育園や幼稚園で用いられる椅子に限らず、一般的な椅子に広く適用可能である。
【符号の説明】
【００３５】
１、１Ｂ、１Ｃ  椅子
１０  椅子本体
３０  座部
４０  脚部
４１  前脚
４５  後脚
４８  前後架橋板（当接部）
５０  当接部
６１、６３、６５  一方の突設部（当接部）
６２、６４、６６  他方の突設部（当接部）
１００  椅子セット
Ｌ  段差
Ｓ  傾斜面
【図１】
2017093497.tif 000003
【図２】
2017093497.tif 000004
【図３】
2017093497.tif 000005
【図４】
2017093497.tif 000006
【図５】
2017093497.tif 000007
【図６】
2017093497.tif 000008
【図７】
2017093497.tif 000009
【図８】
2017093497.tif 000010
【図９】
2017093497.tif 000011